(57)【要約】【課題】本願発明は、ゴルフクラブ購入後であってもゴルフクラブのロフト角等をプレイヤーの体形や好みに応じて容易に、かつ、プレイヤー自身やゴルフショップなどがプレー中以外で微妙に変えることができるとともに、公式競技でも使用可能でソール凹み部の底面に過大な押圧力が掛かる恐れがなく、該角度調整板の底面とソ−ル凹み部の底面の密着性を強固にしたゴルフクラブを提供する。【解決手段】ゴルフクラブヘッドのソール面にソール凹み部を凹設し、このソール凹みに嵌合する着脱可能な板状の角度調整板の中央部分および／またはバックフェース側をソール面から所望の突出高さを以って固定させることにより、ロフト角等を変化せしめる構成とした。【選択図】図３
2008272496.tif 000002
【特許請求の範囲】
【請求項１】
ゴルフクラブヘッドのソール面に凹設されたソール凹み部の形状は前記ソール面に対し前記ゴルフクラブヘッドのフェース側がバックフェース側と同一の深さまたはフェース側がバックフェース側よりも浅くなるように形成された底面を有し、前記ゴルフクラブヘッドのフェース面に一辺が略平行で、前記一辺の両端から前記バックフェース側に向かって延伸する左右の辺を有し前記左右の辺は前記バックフェース側で連結された平面形状を有するソール凹み部と
平面形状が前記ソール凹み部の平面形状と略同一であって前記ソール凹み部に着脱可能に嵌合する第１の角度調整板と第２の角度調整板の内のいずれか１つの板状の角度調整板と、
前記角度調整板を前記ソール凹み部に嵌着する頭付きねじである第１のねじおよび／または中心軸に螺入孔が穿設された頭付き親ねじと前記螺入孔に螺入する頭付き子ねじからなる第２のねじと、からなり、
前記第１の角度調整板は１枚の板からなりバックフェース側に向けてその板厚が徐々に厚くなるとともに前記ソール凹み部の底面に前記第１の角度調整板の前記フェース側が密着して嵌合したときに前記バックフェース側には前記第１の角度調整板と前記ソール凹み部の底面との間に所定の間隙を有するように形成され、
前記第２の角度調整板は上部角度調整板と下部角度調整板とからなり前記上部角度調整板は前記第１の角度調整板と略同一形であり前記下部角度調整板は板厚が略同一の平板であって前記角度調整板のフェース側が一体となりバックフェース側の前記上部角度調整板と前記下部角度調整板との間に所定の間隙を有するように形成され、
前記角度調整板の前記フェース側を貫通する前記第１のねじを介して前記ソール凹み部に嵌着された前記角度調整板の前記フェース側の前記一辺の高さは前記ソール面に略面一であり、前記角度調整板の前記バックフェース側が前記第２のねじにより前記ソール面に対して所定の高さが突出することにより前記角度調整板が前記ソール面に対して所望の角度で固着される、ことを特徴とするゴルフクラブ。
【請求項２】
前記第１の角度調整板を嵌着させる前記ソール凹み部の平面形状はフェース面に略平行な一辺と前記一辺の両端からバックフェース側に向かって延伸する左右の辺を有し前記左右の辺はバックフェース側で連結され、この前記左右の辺は直線および／または曲線であって前記左右の辺間の一辺に平行な幅は略同一またはバックフェース側に向けて徐々に狭まるように形成され前記左右の辺の先端部はフェース面またはバックフェース面に略平行に曲折して形成されて、前記ソール凹み部１７の周辺は略垂直に凹んでいて、前記ソール凹み部の底面の前記フェース側に第１の螺入孔、および前記バックフェース側に第２の螺入孔が穿設されたゴルフヘッドである、ことを特徴とする請求項１に記載のゴルフクラブ。
【請求項３】
前記ソール凹み部に嵌着される前記第１の角度調整板は金属または合成樹脂で作られて、前記第１の角度調整板の前記フェース側に前記第１のねじが貫通する貫通孔、および前記バックフェース側に前記第２のねじが貫通する貫通孔が貫設されて、
前記第１の角度調整板の平面形状は前記ソール凹み部に略同形状で、前記第１の角度調整板３１の側面から見た形状は、バックフェース１５側に向けてその板厚が徐々に厚くなり、前記第１の螺入孔に螺入する前記第１のねじにより前記第１の角度調整板のフェース側が前記ソール凹み部の底面に面で密着して固定され、また前記第１の角度調整板の前記バックフェース側が前記第２のねじにより前記ソール面に対して所定の高さが突出することにより前記角度調整板が前記ソール面に対して所望の角度で固着される、
ことを特徴とする請求項１または請求項２のいずれかに記載のゴルフクラブ。
【請求項４】
前記第２の角度調整板を嵌着させる前記ソール凹み部の平面形状はフェース面に略平行な一辺と前記一辺の両端からバックフェース側に向かって延伸する前記左右の辺を有し前記左右の辺はバックフェース側で連結され、この前記左右の辺は直線および／または曲線であって前記左右の辺間の前記一辺に平行な幅は略同一またはバックフェース側に向けて徐々に狭まるように形成され前記左右の辺の先端部はフェース面またはバックフェース面に略平行に曲折されて形成されて、前記ソール凹み部１７の周辺は略垂直に凹んでいて、前記ソール凹み部の底面の前記フェース側に前記第１の螺入孔、および前記バックフェース側に前記第２の螺入孔が穿設されたゴルフヘッドである、ことを特徴とする請求項１に記載のゴルフクラブ。
【請求項５】
前記ソール凹み部に嵌着される前記第２の角度調整板は金属または合成樹脂で作られて、前記第２の角度調整板の前記フェース側に前記第１のねじを貫通する貫通孔、および前記バックフェース側に前記第２のねじを貫通する貫通孔が穿設され、
前記第２の角度調整板は前記上部角度調整板と前記下部角度調整板で構成され、前記フェース側で一体となり、前記第１の螺入孔に螺入する前記第１のねじにより前記第２の角度調整板のフェース側が前記ソール凹み部の底面に面で密着して固定され、前記上部角度調整板はバックフェース側に向けてその板厚が徐々に厚くなるとともに、前記下部角度調整板が平板であり、この平板の前記バックフェース側に前記第２のねじが貫通する貫通孔が貫設されて、前記第２のねじで前記ソール凹み部の底面に密着させ、前記ソール面に対して所定の高さが突出することにより、前記角度調整板が前記ソール面に対して所望の角度で固着される、ことを特徴とする請求項１または請求項４のいずれかに記載のゴルフクラブ。
【発明の詳細な説明】
【技術分野】
【０００１】本願発明は、ゴルフクラブに関して、とくにロフト角等の調整可能なゴルフクラブヘッドに関する。
【背景技術】
【０００２】ゴルフクラブのロフト角、ライ角およびフェース角（以下、「ロフト角等」という。）は、プレイヤーの体型やプレイスタイルに応じて様々なものが要求されるため、ゴルフクラブ購入後であってもロフト角等を変えることができるゴルフクラブが提案されている。
本願は、特許法第４４条第１項の規定による特願２００７−１２０４３０号を原に分割出願とした。【０００３】たとえば、特開２００１−４６５５７号公報に開示された発明があるが、この発明は、ゴルフクラブのライ角をプレイヤーの体形や好みに応じて容易に変えることができるゴルフクラブを提供することを目的としていて、その構成を、クラブゴルフクラブヘッドの内部に傾斜状態で固定されるプレートと、このプレートに穿設されてクラブシャフトの傾斜角をガイドするガイド孔と、このガイド孔に対応してクラブゴルフクラブヘッドの挿入状態で取り付けられるシャフト固定管と、このシャフト固定管に挿入された状態で固定されるクラブシャフトと、からなるものとしている。【０００４】この特開２００１−４６５５７号公報に開示のゴルフクラブは、プレートに穿設されたガイド孔の位置と数（実施例では５箇所に穿設されている。）によって、ゴルフクラブのライ角が断続的に定まり、ライ角を連続的に微妙に変えることはできない。
この問題点を解決すべく、本願の出願人は、ゴルフクラブのロフト角等を任意に変える技術を提案していて、その技術の１つは、特開２００２−２８２４００号公報に開示され、他の１つは現在出願中である（特願２００６−５３１３０８号）。【０００５】特開２００３−６２１３１号公報に開示の発明の構成については、図５を基に概説する。
なお、図５は、特開２００３−６２１３１号公報に開示の実施例に係るゴルフクラブヘッドの見上げ図（図５（ａ））および側面図（図５（ｂ））である。
ゴルフクラブヘッド１０１のソール面１０２には側面から見て一方向にテーパーのついた円盤２０３動自在に添着されていて、この円盤１０３を回動させることにより、ゴルフクラブのロフト角等が変化し、所望の円盤１０３の回動位置で円盤１０３をゴルフクラブヘッド１０１のソール面１０２に固定させるものである。【０００６】  そして、特願２００６−５３１３０８号に係る発明は、「後加工でゴルフクラブのロフト角、フェース角およびウエイトをプレイヤーの体形や好みに応じて容易に、かつ、微妙に変えることができ、公式競技でも使用可能なゴルフクラブを提供する。」ことを目的としていて、この目的を達成するために採用した構成について、図６を基に概説する。なお、図６は、前記特願２００６−５３１３０８号に係るロフト角等の調整可能なゴルフクラブのヘッドのソール面の部分断面図である。【０００７】「図  ６」については、
ゴルフクラブヘッド２０１のソール面２１０には平面から見た形状がフェース２１２側の１辺がバックフェース２１４側の１辺よりも長い略台形のソール凹み部２２４が凹設されていて、ソール凹み部２２４に平面の形状が略同一のソールウエイト２２８が嵌合している。このソールウエイト２２８は略台形の縁部から立上る周壁を有し、フェース２１２側の周壁の高さよりもバックフェース２１４側の周壁の高さのほうが高くなるように形成されている。
そして、ソールウエイト２２８は２個の頭付ボルト２４０によりソール面２１０に対する突出高さが調整されて止めビス２３６により、ソールウエイト２２８の突出高さが固定されるようになっている。
【特許文献１】特開２００１−４６５５７号公報
【特許文献２】特開２００３−６２１３１号公報
【特許文献３】特願２００６−５３１３０８号
【発明の開示】
【発明が解決しようとする課題】
【０００８】  しかしながら、特開２００３−６２１３１号公報に開示の発明は、ゴルフクラブヘッド２０１のソール面２０２に添着された円盤２０３を回動させることにより、ロフト角等を変えるものであるため、ゴルフ規則のゴルフクラブに関する付属規則に抵触する恐れがあって、公式競技で使用することは難しい。
また、特願２００６−５３１３０８号の発明は、ゴルフクラブ購入後にゴルフクラブのロフト角等をプレイヤーの体形や好みに応じて容易に、かつ、微妙に変えることができ、公式競技でも使用可能なゴルフクラブではあるが、ソールウエイト３２８を縁部から立上る周壁を有するボックス型としているため、ソールウエイト３２８の周壁がソール凹み部２２４の底面に線接触しているため、線接触しているソール凹み部２２４の底面に過大な押圧力が掛かる恐れがある。【０００９】  そこで、本願発明は、ゴルフクラブ購入後であってもゴルフクラブのロフト角等をプレイヤーの体形や好みに応じて容易に、かつ、プレイヤー自身やゴルフショップなどがプレー中以外で微妙に変えることができるとともに、ソール凹み部の底面に過大な押圧力が掛かる恐れがないゴルフクラブを提供することを目的とする。
本願は、特許法第４４条第１項の規定によって、前記特願２００７−１２０４３０を原出願として、第１の角度調整板および第２の角度調整板に関することを分割出願したものである。
【課題を解決するための手段】
【００１０】  本願請求項１に係るゴルフクラブヘッドは、ゴルフクラブヘッドのソール面に凹設されたソール凹み部の形状が前記ゴルフクラブヘッドのフェース側がバックフェース側と同一の深さまたはフェース側がバックフェース側よりも浅くなるように形成された底面を有し、第１の角度調整板、または第２の角度調整板のいずれかの１つを嵌着させる前記ソール凹み部の平面形状はフェース面に略平行な一辺と前記一辺の両端からバックフェース側に向かって延伸する左右の辺を有し前記左右の辺はバックフェース側で連結され、この前記左右の辺は直線および／または曲線であって前記左右の辺間の一辺に平行な幅は略同一またはバックフェース側に向けて徐々に狭まるように形成され前記左右の辺の先端部はフェース面またはバックフェース面に略平行に曲折されて形成されるゴルフヘッドであって、前記ソール凹み部の底面の前記フェース側に第１の螺入孔が穿設され、またバックフェース側に第２の螺入孔が穿設されて、前記第１の角度調整板、または前記第２の角度調整板を嵌めこみ固定するため、前記第１の螺入孔および前記第２の螺入孔の内面に雌螺子が螺刻されている。
平面形状が前記ソール凹み部の平面形状と略同一であり前記ソール凹み部に着脱可能に嵌合する表面が平滑な前記第１の角度調整板、および前記第２の角度調整板のいずれか１つの角度調整板と、前記角度調整板を前記ソール凹み部に嵌着する頭付きねじである第１のねじおよび／中心軸に螺入孔が穿設された頭付き親ねじと螺入孔に螺入する頭付き子ねじからなる第２のねじと、からなり、
前記第１の角度調整板は１枚の板からなりバックフェース側に向けてその板厚が徐々に厚くなるとともに前記ソール凹み部の底面に前記第１の角度調整板の前記フェース側が密着して嵌合したときに前記バックフェース側には前記第１の角度調整板と前記ソール凹み部の底面との間に所定の間隙を有するように形成され、金属又は合成樹脂で作られていて、前記角度調整板の前記フェース側に前記第１のねじが貫通する貫通孔、および前記バックフェース側に前記第２のねじが貫通する貫通孔が貫設されていて、
前記第１の角度調整板を前記ソール凹み部に嵌着し、前記第１の角度調整板を貫通して前記第１の螺入孔に螺入する前記第１のねじにより前記第１の角度調整板のフェース側が前記ソール凹み部の底面に密着して固定され、前記角度調整板の前記フェース側と前記ソール面が略面一となり、
前記ソール凹み部のバックフェース側の第２の螺入孔に螺入する前記第２のねじにより前記角度調整板の前記バックフェース側が前記第２のねじの頭部に前記ソール凹み部の底面側から押圧され、また前記第１の角度調整板を貫通している貫通孔を介して前記第２の螺入孔に螺入する前記第２のねじにより前記第１の角度調整板のバックフェース側が前記第２のねじの頭付親ねじの頭部と頭付き子ねじの頭部に挟持されて前記ソール面に対して所定の高さに突出することにより前記第１の角度調整板が前記ソール面に対して所望の角度で固着される、ことを特徴とする。
前記第２の角度調整板は上部角度調整板と下部角度調整板とからなり前記上部角度調整板は前記第１の角度調整板と略同一形であり前記下部角度調整板は板厚が略同一の平板であって前記角度調整板のフェース側が一体となりバックフェース側の前記上部角度調整板と前記下部角度調整板との間に所定の間隙を有するように形成される、ことを特徴としている。
前記第２の角度調整板の前記上部角度調整板の形状は、前記第１の角度調整板と略同様な形状で、角度調整の手順も略同様であり、前記第１のねじおよび前記第２のねじによって前記角度調整板の角度調整をして、固定する。この手順については後述する。
なお、「面一」とは、ソール面に対する角度調整板のフェースの高さが「０」である場合をいい、「面で密着」とは、角度調整板の底面側とソール凹み部の底面とが面で接触して密着することをいう。また、所定の高さには「０」である場合を含む。前述の様に、前記第１の角度調整板、および前記第２の角度調整板の高さが所定の高さに突出することにより前記角度調整板が前記ソール面に対して所望の角度で固着されることを特徴としている。
請求項２に係るゴルフクラブヘッドは、実施例１であって前記ソール凹み部の平面形状はフェース面に略平行な一辺と前記一辺の両端からバックフェース側に向かって延伸する左右の辺を有し前記左右の辺はバックフェース側で連結され、この前記左右の辺は直線および／または曲線であって前記左右の辺間の一辺に平行な幅は略同一またはバックフェース側に向けて徐々に狭まるように形成され前記左右の辺の先端部はフェース面またはバックフェース面に略平行に曲折されて形成さて、ソール凹み部１７の周辺は略垂直に凹んでいる。
前記ソール凹み部の前記第１の螺入孔、および前記第２の螺入孔の位置に対応して、前記第１の角度調整板、および前記第２の角度調整板も同様に貫通する貫通孔が貫設されている。
前記第１の角度調整板は前記ソール凹み部に嵌着されるが、前記第１の角度調整板を嵌着し固定するために前記第１の螺入孔、及び前記第２の螺入孔の内面にそれぞれ雌螺子が螺刻されている。
また、本願請求項３に係るゴルフクラブヘッドは、請求項１ないし請求項２に記載のゴルフクラブヘッドであって、前記ソール凹み部の底面にはフェース側に前記第１の螺入孔およびバックフェース側に前記第２の螺入孔が穿設され、この前記ソール凹み部に嵌着される前記第１の角度調整板は金属又は合成樹脂でつくられて、前記ソール凹み部の前記第１の螺入孔、および前記第２の螺入孔に対応する位置に、前記角度調整板を貫通した貫通孔が貫設されていて、前記第１の螺入孔に螺入する前記第１のねじにより前記第１の角度調整板のフェース側が前記ソール凹み部の底面に面で密着して固定され、
前記第１の角度調整板の前記フェース側の面と前記ソール面とが略面一となり、
前記第１の角度調整板を貫通して前記第２の螺入孔に螺入する前記第２のねじにより前記第１の角度調整板のバックフェース側が前記第２のねじの頭付き親ねじの頭部と頭付き子ねじの頭部に挟持されて前記ソール面に対し所定の高さに突出することになるが、
前記第１の角度調整板を貫通した前記第２のねじにより前記第１の角度調整板が前記第２のねじの頭部に前記ソール凹み部の底面側から押圧され、また前記第１の角度調整板を貫通する貫通孔を介して前記第２のねじの頭付き親ねじの頭部と頭付き子ねじの頭部に挟持されて前記第１の角度調整板の前記バックフェース側が前記ソール面に対し所定の高さに突出することにより前記第１の角度調整板が前記ソール面に対し所望の角度を以って固着される、ことを特徴としている。
本願請求項４に係るゴルフクラブヘッドは、
実施例２に述べるもので、前記第２の角度調整板を嵌着させる前記ソール凹み部の平面形状は、フェース面に略平行な一辺と、この前記一辺の両端からバックフェース側に向かって延伸する前記左右の辺を有し前記左右の辺はバックフェース側で連結され、この前記左右の辺は直線および／または曲線であって前記左右の辺間の前記一辺に平行な幅は略同一またはバックフェース側に向けて徐々に狭まるように形成され前記左右の辺の先端部はフェース面またはバックフェース面に略平行に曲折されて形成されている。そしてソール凹み部１７の周辺は略垂直に凹んでいる。前記ソール凹み部の底面にはフェース側に前記第１の螺入孔およびバックフェース側に前記第２の螺入孔が穿設されている。前述のように、この実施例２に係る前記凹み部も前記第１の螺入孔と前記第２の螺入孔が穿設されていて、その内面に雌螺子が螺刻されている。
本願請求項５に係るゴルフクラブヘッドは、請求項１ないし請求項４に記載のゴルフクラブヘッドであって、前記第２の角度調整板は上部角度調整板と下部角度調整板とからなり、金属または合成樹脂で作られて、前記上部角度調整板は前記第１の角度調整板と略同一形であり前記下部角度調整板は板厚が略同一の平板であって前記角度調整板のフェース側が一体となりバックフェース側の前記上部角度調整板と前記下部角度調整板との間に所定の間隙を有するように形成され、前記ソール凹み部の底面と前記第２の角度調整板の前記下部角度調整板の底面が密着され強固になることを特徴としている。
前記第２の角度調整板を貫通した前記第１の螺入孔に螺入する前記第１のねじにより前記第２の角度調整板のフェース側が前記ソール凹み部の底面に密着して固定され、
前記第２の角度調整板を貫通した前記第２のねじにより前記第２の角度調整板が前記ソール凹み部に嵌着されるが、前記上部角度調整板が前記第２のねじの頭部に前記ソール凹み部の底面側から押圧され、または前記第２の角度調整板を貫通する貫通孔を介して前記第２のねじの頭付き親ねじの頭部と頭付き子ねじの頭部に挟持されて前記第２の角度調整板の前記バックフェース側が前記ソール面に対し所定の高さに突出することにより前記第２の角度調整板が前記ソール面に対し所望の角度を以って固着される、ことを特徴としている。
前記第２の角度調整板の前記下部角度調整板の底面の板厚が平板であり前記ソール凹み部の底面と嵌着面が前記第１の角度調整板より広くて接触が強固になる。さらにまた、前記第２の角度調整板も上部角度調整板と前記下部角度調整板の間は所定の間隙を有する。なお、前記第１の角度調整板，あるいは前記第２の角度調整板の前記ソール凹み部に嵌着せせる手順は略同様であり、前記第１の角度調整板または前記第２の角度調整板が嵌着する前記ソール凹み部の形状は、同じ形状である。
また、ソール面に対する「所定の高さ」については、ゴルフ規則等において制限が課せられた場合には、当該制限内とすることは勿論である。
【発明の効果】
【００１１】  本願に係る発明は上記の構成により以下の効果を奏する。
（１）本願に係るゴルフクラブヘッドは、
ゴルフクラブヘッドのソール面に凹設されたソール凹み部に前記第１の角度調整板が嵌着して前記角度調整板のフェース側の高さはソール面に略面一とし、バックフェース側を前記ソール面に対し所定の高さに突出させて前記角度調整板を前記ソール面に対し所望の角度で固着され、また前記第２のねじを介してバックフェース側が固着されることとしている。このため、ゴルフクラブ購入後であってもプレイヤー自身やゴルフショップなどでゴルフクラブのロフト角等をプレイヤーの体形や好みに応じて容易に、かつ、微妙に変えることができるとともに、公式競技でも使用可能なゴルフクラブとすることができる。また、前記角度調整板は前記ソール凹み部の底面に面で密着するため、前記ソール凹み部の底面に過大な押圧力が掛かる恐れがなく耐久性が向上する。前述の底面に面で密着することは、線状で密着するより嵌着面は広くなることで耐久性が向上する。
なお、前述したようにロフト角等とは、ロフト角、ライ角およびフェース角をいうが、実際にはライ角およびフェース角の角度調整は、ソール面の角度とゴルフクラブヘッドに挿入されるシャフトの傾きとの相互作用により可能になる。
（２）本願に係るゴルフクラブヘッドに使用する前記第１の角度調整板のフェース側の底面は、前記第２の角度調整板の底面よりはその底面が小さいが面状で前記ソール凹み部に接触し、また前記第２の角度調整板は前記下部角度調整板の底面が平板を持った角度調整板であるため、前記ソール面に対して底面との嵌着面が広く、密着度は高いし、かつ堅牢である。
（３）前記第１の角度調整板は１枚の板であるため、その構成および構造も単純であり加工が容易である。また、前記第２の角度調整板は上部角度調整板と下部角度調整板とを併せた形状であり、かつ、前記下部角度調整板は平板であるのでその構造は単純であり加工が容易であるとともに、前記下部角度調整板は前記ソール凹み部の底面に密着することになるので角度調整板はより強固に前記ソール凹み部に固定される。なお、前記角度調整板は、金属製とした場合は勿論であるが、合成樹脂製とした場合には、より容易に加工することができる。また、合成樹脂製とする場合は、炭素繊維や金属繊維で補強することが好ましい。
（４）本願に係るゴルフクラブヘッドでは、バックフェース側がソール面に対し所定の高さに突出することにより前記角度調整板が前記ソール面に対し所望の角度等を以って固着されることとしていて、前記第１のねじおよび前記第２のねじの２個のねじにより前記角度調整板を嵌着させていて、また、前記第２のねじによって前記バックフェース側の前記角度調整板の高さの角度調整が簡単にできる。
（５）前記第１のねじによって、前記角度調整板の底面が前記ソール凹み部に嵌着し、および前記第２のねじを介することで、前記角度調整板である前記第１の角度調整板、または前記第２の角度調整板のバックフェース側が前記ソール面に対し所定の高さに突出することにより、前記角度調整板である前記第１の角度調整板、または前記第２の角度調整板を前記ソール面に対し所望の角度を以って固着することとしている。このため、前記ソール面に対する「所定の高さ」について制限（ゴルフルール）が課せられた場合であっても、ソール面に対する前記角度調整の範囲内にできることになる。要するに、床上に置いた前記ゴルフクラブヘッドのソール面１１の角度が調整され、前記ゴルフクラブヘッドのロフト角等が調整されることである。
これについては、さらに後の段落に於いて述べる。
【発明を実施するための最良の形態】
【００１２】  本発明を実施するための最良の形態に係る実施例１について、図１から図４に基づいて説明する。
なお、図１は、実施例１および実施例２に係るゴルフクラブヘッドのソール面の斜視図であり、図２は、実施例１に係るゴルフクラブヘッドの図１におけるＩ−Ｉ矢視断面図であり、図３は、実施例２に係るゴルフクラブヘッドの図１におけるＩ−Ｉ矢視断面図であり、
図４は、ゴルフクラブヘッドに使用する第１のねじおよび第２のねじの側面図であり、
図４（ａ）は第１のねじの側面図、図４（ｂ）は第２のねじの側面図、である。【００１３】図１から図４において、符号１は実施例１に係るゴルフクラブヘッド、符号２は実施例２に係るゴルフクラブヘッド、符号１１はソール面、符号１３はフェース、符号１５はバックフェース、符号１７はソール凹み部、符号２１は第１の螺入孔、符号２２は第２の螺入孔、符号３１は第１の角度調整板、符号３２は第２の角度調整板、符号３２１は上部角度調整板、符号３２３は下部角度調整板、符号３５は間隙、符号４１は第１のねじ、符号４２は第２のねじ、符号４２１は頭付き親ねじ、符号４２３は頭付き子ねじである。
【実施例１】
【００１４】  まず、実施例１に係るゴルフクラブヘッド１について、図１、図２を基に説明する。【００１５】  実施例１に係るゴルフクラブヘッドは、ゴルフクラブヘッド１とその一端にグリップが装着されたシャフト（図示外）とからなるが、本願各発明は、ゴルフクラブヘッドのソール部に特徴があるので、以下の説明ではゴルフクラブヘッドのソール部について説明する。【００１６】  前記第１の角度調整板を嵌着させる前記ソール凹み部の平面形状はフェース面に略平行な一辺と前記一辺の両端からバックフェース側に向かって延伸する左右の辺を有し前記左右の辺はバックフェース側で連結され、この前記左右の辺は直線および／または曲線であって前記左右の辺間の一辺に平行な幅は略同一またはバックフェース側に向けて徐々に狭まるように形成され前記左右の辺の先端部はフェース面またはバックフェース面に略平行に曲折されて形成されるゴルフヘッドであることを特徴とする。前記第１の角度調整板は前記ソール凹み部に嵌着されるが、前記ソール凹み部の底面にはフェース側に前記第１の螺入孔が穿設され、またバックフェース側に前記第２の螺入孔が穿設されて、前記第１の角度調整板を嵌めこみ固定するために、前記第１の螺入孔および前記第２の螺入孔の内面に雌螺子が螺刻されている。
そして、ソール凹み部１７の周辺は略垂直に凹んでいて、その凹みの深さは、フェース側がバックフェース側と同一の深さまたはフェース１３側よりバックフェース１５側が深くなっている。なお、ソール凹み部１７の面の形状や凹みの深さは、適宜変えることができ、たとえば、ソール凹み部１７の前記左右の辺間の距離（フェース１３側の一辺に平行な幅）をバックフェース１５側に向けて徐々に狭まるように曲線状にして内側に向けて凹ましても良い。【００１７】  実施例１に使用する前記第１の角度調整板３１の平面から見た形状は、ソール凹み部１７の平面形状と略同一になるように形成されていて、ソール凹み部１７に嵌合するようになっている。そして、前記第１の角度調整板３１の側面から見た形状は、バックフェース１５側に向けてその板厚が徐々に厚くなるとともに前記第１の角度調整板３１のフェース１３側がソール凹み部１７の底面に密着して嵌合したときにバックフェース１５側には前記第１の角度調整板３１とソール凹み部１７の底面との間に所定の間隙３５を有するように形成されている。
さらに平面から見て、前記第１の角度調整板３１のフェース側に前記第１のねじ４１が貫通する貫通孔、およびバックフェース側に前記第２のねじ４２が貫通する貫通孔が貫設されている。【００１８】  前記第１のねじ４１は頭部を有する頭付きのねじであって、実施例ではこの頭部が背の低い円筒形の平頭となっている。そして、前記第２のねじ４２はいずれも頭部を有する頭付き親ねじ４２１と頭付き子ねじ４２３からなっていて、前記頭付き子ねじ４２３と第１のねじ４１の大きさは異なるが略同様の形状を呈し、前記頭付き親ねじ４２１の中心軸に穿設された螺入孔に前記頭付き子ねじが螺入するようになっている。なお、実施例では前記頭付き親ねじ４２１の頭部が半球に近い形の丸頭となっている。【００１９】ここで、ゴルフクラブヘッド１のロフト角等の調整方法の手順例について説明する。【００２０】（１）前記第１の角度調整板３１を前記ソール凹み部１７に嵌着する前に、前記ソール凹み部の前記バックフェース側の前記第２の螺入孔に前記頭付き親ねじ４２１のみを前記第１の角度調整板３１のバックフェース１５側が所定の高さに突出するように頭付き親ねじ４２１を螺入させて、その頭部の高さを調整する、
前記頭付き親ねじ４２１を螺入させるときには、前記頭付き親ねじ４２１のねじ部の表面に樹脂を塗布しておく。
（２）前記第１の角度調整板３１を前記ソール凹み部１７に嵌合させ、前記第１の角度調整板３１を貫通する第１のねじ４１を第１の螺入孔２１に螺入させて、前記ソール凹み部１７のフェース側の底面に前記第１の角度調整板３１を密着させて固定する。
この状態において、前記第１の角度調整板３１のフェース１３側の表面はソール面１１と面一となる。
（３）前記第１の角度調整板３１の前記バックフェース側に貫通して前記頭付き子ねじ４２３を前記頭付き親ねじ４２１の螺入孔に螺入させ、さらに頭付き子ねじ４２３を締め付ける。これにより前記第１の角度調整板３１のバックフェース１５側が第２のねじ４２の頭付き親ねじ４２１の頭部と頭付き子ねじ４２３の頭部に挟持されて確りと固定されるとともに第１の角度調整板３１のバックフェース１５側が所定の高さに突出することになる。なお、挟持とは、前記第２のねじ４２の頭付き親ねじ４２１が親であり、前記頭付き子ねじ４２３は子であり、先に述べた通り、前記第１の角度調整板３１を前記ソール凹み部１７に嵌着する前に前記第１の角度調整板３１のバックフェース１５側が所定の高さに突出するように前記第２のねじ４２を前記第２の螺入孔に螺入りさせて頭部の高さを調整する。そして前記第１の角度調整板を前記ソール凹み部に嵌着し、前記第１の角度調整板３１の前記バックフェース側に貫通している貫通孔を通して、第２のねじ４２の頭付き子ねじ４２３を頭付き親ねじ４２１の螺入孔に螺入させる。
［００１８］で述べたが、前記頭付き親ねじ４２１の中心軸に穿設された螺入孔に前記頭付き子ねじ４２３が螺入するようになっている。なお、実施例では前記頭付き親ねじ４２１の頭部が半球に近い形の丸頭となっている。
第２のねじ４２の頭付き子ねじ４２３を頭付き親ねじ４２１の螺入孔に螺入させると、前記第１の角度調整板のバックフェース側の貫通孔において前記角度調整板が前記第２のねじの頭付き親ねじ４２１と前記頭付き子ねじ４２３によって挟持されることになる。
この手順は、前記第２の角度調整板においても同様である。
前記の手順（１）で、頭付き親ねじ４２１のねじ部の表面に塗布した樹脂の作用により、頭付き子ねじ４２３を締め付けても頭付き親ねじ４２１が共回りすることはない。
（４）前記第１の角度調整板を前記ソール凹み部に嵌着して、１つの形状のゴルフクラブヘッドになる。【００２１】  以上の手順を経て、床上に置いたゴルフクラブヘッド１のソール面１１の角度が調整され、ゴルフクラブヘッド１のロフト角等が調整されるが、調整後の前記第１の角度調整板３１の表面は、側面から見て直線となることは少なく、多くの場合は外側に凸の曲線となる。また、前記角度調整板の前記バックフェース側が前記第２のねじの頭付き親ねじに前記頭付き子ねじが螺入りさせて、これを締めると前記バックフェース側の角度調整板が押圧されて、また前記第２のねじの頭付き親ねじ４２１と前記頭付き子ねじ４２３によって挟持されることになり、前記バックフェース側が前記ソール面に対して突出し、または前記第２のねじの高さの調整により、調整した前記角度調整板の表面が凸の曲面状となる。
【実施例２】
【００２２】つぎに、実施例２に係るゴルフクラブヘッド２について、図１、および図３を基に説明する。前記第２の角度調整板度は実施例２の角度調整の手順が実施例１と略同様の構成であり、また前記第２の角度調整板も［００２１］］と略同様となる。異なるところは角度調整板の構造であるので、主に、第２の角度調整板３２について説明する。【００２３】実施例２に使用する前記第２の角度調整板３２は、上部角度調整板３２１および下部角度調整板３２３から構成されていて、前記第２の角度調整板３２の平面から見た形状は、前記上部角度調整板３２１も前記下部角度調整板３２３もソール凹み部１７の平面形状と略同一になるように形成されていて、前記ソール凹み部１７に嵌合するように形成されている。なお、前記第２の角度調整板が嵌着する前記ソール凹み部の形状は前記第１の角度調整板が嵌着する前記ソール凹み部の形状と同様であり、その周辺が略垂直に凹んでいる。そして、前記第２の角度調整板３２の側面から見た形状は、前記上部角度調整板３２１が前記第１の角度調整板３２と略同様に形成され前記下部角度調整板３２３は板厚が略同一の平板に形成されて、前記第２の角度調整板３２のフェース１３側が一体となり、バックフェース１５側の前記上部角度調整板３２１と前記下部角度調整板３２３との間には所定の間隙３５を有するように形成されている。さらに、前記第２の角度調整板３２を前記ソール凹み部１７に嵌着させるのに、前記フェース側にある前記第１の螺入孔２１と前記バックフェース側にある前記第２の螺入孔２２に対応する位置に、前記上部角度調整板３２１には前記第１のねじ４１および前記第２のねじ４２の前記頭付き子ねじ４２３が貫通する貫通孔が貫設されるとともに前記下部角度調整板３２１にも前記バックフェース側に前記第２のねじ４２が貫通する貫通孔が貫設されている。
前記実施例２のゴルフクラブヘッドは実施例１のゴルフクラブヘッドと異なり、前記第２の角度調整板を前記ソール凹み部へ嵌着するが、前記第２の角度調整板の前記下部角度調整板の底面は前記ソール凹み部の底面に密着される面が前記第１の角度調整板より広く、密着が強固になることを特徴としている。【００２４】  前記第１のねじ４１および前記第２のねじ４２については、実施例１で説明したが前記第２の角度調整板も略同様なのである。
また、実施例２に係るゴルフクラブヘッド２のロフト角等の調整方法の手順例についても、実施例１と略同様である。【００２５】  実施例１と同様の手順を経て、床上に置いたゴルフクラブヘッド２のソール面１１の角度が調整され、ゴルフクラブヘッド２のロフト角等が調整されるが、前記第２の角度調整板３２は前記下部角度調整板３２１により、強固に前記ソール凹み部１７に固着する。【００２６】ゴルフクラブヘッド３のソール面１１に凹設される前記ソール凹み部１７の形状と構成については、実施例１と同様であるが、前記第１の角度調整板３１に代えて実施例２で使用した前記第２の角度調整板３２を使用しても良い。【００２７】  ここで、前記第２の角度調整板の角度調整の手順を説明する。
（１）前記第２の角度調整板３２を前記ソール凹み部１７に嵌着させる前に前記ソール凹み部の前記第２の螺入孔に前記頭付き親ねじ４２１を螺入りさせ、前記第２の角度調整板３２のバックフェース１５側が所定の高さに突出するように頭付き親ねじ４２１の頭部の高さを調整する。この手順は前記第１の角度調整板および前記第２の角度調整板も同様である。前記頭付き親ねじ４２１を螺入させるときには、頭付き親ねじ４２１のねじ部の面に樹脂を塗布しておく。
（２）前記第２の角度調整板３２を前記ソール凹み部１７に嵌合させ、前記第１のねじ４１を前記第２の角度調整板３２の貫通孔に貫通させ、前記第１の螺入孔２１に螺入させる。さらに前記第１のねじ４１を締め付けると前記ソール凹み部１７の底面に前記第２の角度調整板３２が密着して固定される。
この状態において、前記第２の角度調整板３２のフェース１３側の表面はソール面１１と面一となる。
（３）次に、前記第２の角度調整板３２を貫通して前記第２のねじ４２の頭付き子ねじ４２３を前記第２のねじ４２の親ねじ４２１の螺入孔に螺入させ、さらに頭付き子ねじ４２３を締め付ける。これにより前記第２の角度調整板３２のバックフェース１５側が前記第２のねじ４２の頭付き親ねじ４２１の頭部と頭付き子ねじ４２３の頭部に挟持されて確りと固定されるとともに、前記第２の角度調整板３２の前記バックフェース側が所定の高さに突出するし、または、前述した、前記ソール凹み部の底面の前記バックフェース側の前記第２の螺入孔に前記第２のねじを螺入し、この頭の高さを調節したことで前記バックフェース側の前記角度調整板の前記ソール面に対して高さが異なることとなり、調整した前記角度調整板の表面が凸の曲面状となる。
なお、挟持とは、先に［００２０］の（３）で述べたこのことで前記第２の角度調整板も略同様であるのでこれを省略する。
（４）なお、前記の手順（１）において、頭付き親ねじ４２１のねじ部の表面に塗布した樹脂の作用により、頭付き子ねじ４２３を締め付けても頭付き親ねじ４２１が共回りすることはない。これは前記第１の角度調整板，および前記第２の角度調整板の場合も同様に樹脂を塗布する。尚、（２）、（３）の記述は、前記第２の角度調整板に就いてであるが、前記第１の角度調整板も略同じ角度調整の手順である。前記第１の角度調整板と前記第２の角度調整板は形状が異なる。これは前に述べているので省略する。
（５）前記第２の角度調整板は、前記第１の角度調整板と形状が異なり、上部と下部に別れているがフェース側で一体となるが、角度調整方法の手順は、略同じである。
（６）前記第２の角度調整板を嵌着させる前記ソール凹み部の形状は、前記第１の角度調整板を嵌着させる前記ソール凹み部と同形状のものである。【００２８】  以上の手順を経て、床上に置いた前記ゴルフクラブヘッドのソール面１１の角度が調整され、前記ゴルフクラブヘッドのロフト角等が調整されるが、調整後の前記第１の角度調整板３１と同様に前記第２の角度調整板３２の前記バックフェース側の高さは、前記ソール面より高くなり、または、面一となる。［００２７］の（３）に述べたが、前記ソール凹み部の底面の前記バックフェース側の前記第２の螺入孔に螺入した前記第２のねじで、前記第２のねじの頭の高さを調節したことで前記バックフェース側の前記角度調整板の前記ソール面に対して高さが異なることとなり、調整した前記角度調整板の表面が凸の曲面状となり、前記第２の角度調整板は前記ソール面に対し所望の角度を以って固着される、ことを特徴としている。
【図面の簡単な説明】
【００２９】
【図１】図１は、実施例１および実施例２に係るゴルフクラブヘッドのソール面の斜視図である。
【図２】図２は、実施例１に係るゴルフクラブヘッドの図１におけるＩ−Ｉ矢視断面図である。
【図３】図３は、実施例２に係るゴルフクラブヘッドの図１におけるＩ−Ｉ矢視断面図である。
【図４】図４は、実施例に係るゴルフクラブヘッドに使用する第１のねじおよび第２のねじの側面図であり、図４（ａ）は第１のねじの側面図、図４（ｂ）は第２のねじの側面図である。
【図５】図５（ａ）は、特開２００３−６２１３１号公報に開示の実施例に係るゴルフクラブヘッドの見上げ図であり、図５（ｂ）は側面図である。
【図６】図６は、特願２００６−５３１３０８号に係る発明の実施例に係るロフト角等の調整可能なウッド型ゴルフクラブのヘッドのソール面の部分断面図である。
【符号の説明】
【００３０】１  実施例１に係るゴルフクラブヘッド
２  実施例２に係るゴルフクラブヘッド
１１  ソール面
１３  フェース
１５  バックフェース
１７  ソール凹み部
２１  第１の螺入孔
２２  第２の螺入孔
３１  第１の角度調整板
３２  第２の角度調整板
３２１  上部角度調整板
３２３  下部角度調整板
３５  間隙
４１  第１のねじ
４２  第２のねじ
４２１  頭付き親ねじ
４２３  頭付き子ねじ
【図１】
2008272496.tif 000003
【図２】
2008272496.tif 000004
【図３】
2008272496.tif 000005
【図４】
2008272496.tif 000006
【図５】
2008272496.tif 000007
【図６】
2008272496.tif 000008